(57)【要約】【課題】インモールドラベルの貼着位置がずれても外観を著しく損なうことがなく、容器が薄肉の場合におけるパーティングライン部分周辺でのヒケの発生を抑制することができ、容器を落下させた場合におけるラベルの周方向端縁やパーティングライン部分周辺での容器の破損の発生を抑制することができるインモールドラベル付きブロー成形容器を提供すること。【解決手段】２枚のインモールドラベル２０ａ，２０ｂのうち少なくとも一方を、パーティングラインＰＬを越えて貼着させ、該パーティングラインＰＬを越える部分２１において、もう一方のインモールドラベル２０ａ，２０ｂと重なり合わせる。【選択図】図２
2015066783.tif 000002
【特許請求の範囲】
【請求項１】
筒状の胴部を有し、２つの割型を用いてブロー成形により形成される容器本体と、前記ブロー成形に際し、前記２つの割型の内周面にそれぞれ配置され、前記容器本体の胴部に貼着される２枚のインモールドラベルとを備えるインモールドラベル付きブロー成形容器において、
前記２枚のインモールドラベルのうち少なくとも一方は、パーティングラインを越えて貼着されており、該パーティングラインを越える部分において、もう一方のインモールドラベルと重なり合っているインモールドラベル付きブロー成形容器。
【請求項２】
前記インモールドラベルのうち少なくとも一方の、パーティングラインを越える部分は、もう一方のインモールドラベルの内周側に位置している、請求項１に記載のインモールドラベル付きブロー成形容器。
【請求項３】
前記インモールドラベルのうち少なくとも一方の、パーティングラインを越える部分には、切り欠き又は開口が形成されており、該切り欠き又は開口を介して、もう一方のインモールドラベルが前記容器本体の胴部に貼着されている、請求項２に記載のインモールドラベル付きブロー成形容器。
【請求項４】
前記インモールドラベルのうち少なくとも一方の、パーティングラインを越える部分の外周面と、もう一方のインモールドラベルの内周面とは、前記ブロー成形時のパリソンの熱によって互いに溶着されている、請求項２に記載のインモールドラベル付きブロー成形容器。
【請求項５】
前記インモールドラベルのうち少なくとも一方の、パーティングラインを越える部分の外周面と、該外周面と溶着される、もう一方のインモールドラベルの内周面との双方は、ＬＤＰＥ層からなっている、請求項４に記載のインモールドラベル付きブロー成形容器。
【請求項６】
前記２枚のインモールドラベルの一方のみが、パーティングラインを越えて貼着されており、該パーティングラインを越えて貼着されているインモールドラベルは、ＬＤＰＥ層、ＡＣ層、印刷層及びＣＰＰ層を、外周側から内周側に向って、ＬＤＰＥ層、ＡＣ層、印刷層、ＣＰＰ層の順に積層して形成されており、もう一方のインモールドラベルは、前記層を、外周側から内周側に向って、ＣＰＰ層、印刷層、ＡＣ層、ＬＤＰＥ層の順に積層して形成されている、請求項４に記載のインモールドラベル付きブロー成形容器。
【請求項７】
前記割型の内周面のパーティングラインに沿う端縁には、前記インモールドラベルのうち少なくとも一方の、パーティングラインを越える部分を、もう一方のインモールドラベルの内周側に誘導する凸状部が設けられている、請求項１〜６のいずれか一項に記載のインモールドラベル付きブロー成形容器。
【請求項８】
前記凸状部の高さが０．１〜１．０ｍｍである、請求項７に記載のインモールドラベル付きブロー成形容器。
【発明の詳細な説明】
【技術分野】
【０００１】
本発明は、容器本体の胴部に２枚のインモールドラベルが貼着されたインモールドラベル付きブロー成形容器に関する。
【背景技術】
【０００２】
従来、容器本体の胴部表面に、装飾模様や商品名、説明文などの表示を施すために、当該表示を印刷したラベルを、容器本体のブロー成形時に、インモールドラベルとして容器本体の胴部に貼着させたブロー成形容器が知られている。このような従来のインモールドラベル付きブロー成形容器では、例えば図１に示すように、ブロー成形用の２つの割型１ａ，１ｂの内周面に、２枚のインモールドラベル２ａ，２ｂをそれぞれ配置し、容器本体の胴部（図示省略）をブロー成形することによって、ラベル２ａ，２ｂを容器本体の胴部に貼着させている。
【０００３】
また、例えば特許文献１に記載されるインモールドラベル付きブロー成形容器では、２枚のインモールドラベルの周方向に沿った一方の端縁同士を密に付き合わせると共に、他方の端縁同士を、わずかな隙間を空けて対向させている。
【先行技術文献】
【特許文献】
【０００４】
【特許文献１】特開２００７−３９０３７号公報
【発明の概要】
【発明が解決しようとする課題】
【０００５】
しかしながら、図１に示したような要領で製造される従来のインモールドラベル付きブロー成形容器や、特許文献１に記載されるようなものでは、インモールドラベルの貼着位置ずれによって、容器の外観が著しく損なわれるという問題があった。また、容器が薄肉の場合、容器のパーティングライン部分が凹むような変形（所謂ヒケ）が発生するという問題や、容器を落下させた場合に、ラベルの周方向端縁やパーティングライン部分で破損を生じやすいという問題もあった。
【０００６】
本発明は、このような従来の問題を解決するために開発されたもので、インモールドラベルの貼着位置がずれても外観を著しく損なうことがなく、容器が薄肉の場合におけるパーティングライン部分周辺でのヒケの発生を抑制することができ、容器を落下させた場合におけるラベルの周方向端縁やパーティングライン部分周辺での容器の破損の発生を抑制することができるインモールドラベル付きブロー成形容器を提供することを目的とする。
【課題を解決するための手段】
【０００７】
すなわち、本発明の要旨構成は以下のとおりである。
１．筒状の胴部を有し、２つの割型を用いてブロー成形により形成される容器本体と、前記ブロー成形に際し、前記２つの割型の内周面にそれぞれ配置され、前記容器本体の胴部に貼着される２枚のインモールドラベルとを備えるインモールドラベル付きブロー成形容器において、
前記２枚のインモールドラベルのうち少なくとも一方は、パーティングラインを越えて貼着されており、該パーティングラインを越える部分において、もう一方のインモールドラベルと重なり合っているインモールドラベル付きブロー成形容器。
【０００８】
なお、本明細書及び特許請求の範囲において、「パーティングライン」とは、ブロー成形に用いる割型の合せ面を意味し、「容器のパーティングライン部分」とは、容器の表面における、割型の合せ面と接する線状の部分を意味するものとする。
【０００９】
２．前記インモールドラベルのうち少なくとも一方の、パーティングラインを越える部分は、もう一方のインモールドラベルの内周側に位置している、前記１のインモールドラベル付きブロー成形容器。
【００１０】
３．前記インモールドラベルのうち少なくとも一方の、パーティングラインを越える部分には、切り欠き又は開口が形成されており、該切り欠き又は開口を介して、もう一方のインモールドラベルが前記容器本体の胴部に貼着されている、前記２のインモールドラベル付きブロー成形容器。
【００１１】
４．前記インモールドラベルのうち少なくとも一方の、パーティングラインを越える部分の外周面と、もう一方のインモールドラベルの内周面とは、前記ブロー成形時のパリソンの熱によって互いに溶着されている、前記２のインモールドラベル付きブロー成形容器。
【００１２】
５．前記インモールドラベルのうち少なくとも一方の、パーティングラインを越える部分の外周面と、該外周面と溶着される、もう一方のインモールドラベルの内周面との双方は、ＬＤＰＥ層からなっている、前記４のインモールドラベル付きブロー成形容器。
【００１３】
６．前記２枚のインモールドラベルの一方のみが、パーティングラインを越えて貼着されており、該パーティングラインを越えて貼着されているインモールドラベルは、ＬＤＰＥ層、ＡＣ層、印刷層及びＣＰＰ層を、外周側から内周側に向って、ＬＤＰＥ層、ＡＣ層、印刷層、ＣＰＰ層の順に積層して形成されており、もう一方のインモールドラベルは、前記層を、外周側から内周側に向って、ＣＰＰ層、印刷層、ＡＣ層、ＬＤＰＥ層の順に積層して形成されている、前記４のインモールドラベル付きブロー成形容器。
【００１４】
７．前記割型の内周面のパーティングラインに沿う端縁には、前記インモールドラベルのうち少なくとも一方の、パーティングラインを越える部分を、もう一方のインモールドラベルの内周側に誘導する凸状部が設けられている、前記１〜６のいずれかのインモールドラベル付きブロー成形容器。
【００１５】
８．前記凸状部の高さが０．１〜１．０ｍｍである、前記７のインモールドラベル付きブロー成形容器。
【発明の効果】
【００１６】
本発明によれば、２枚のインモールドラベルのうち少なくとも一方の、パーティングラインを越える部分が、もう一方のインモールドラベルと重なり合った状態で貼着されているため、インモールドラベルの貼着位置がずれても外観を著しく損なうことがなく、容器が薄肉の場合におけるパーティングライン部分周辺でのヒケの発生を抑制することができ、容器を落下させた場合におけるラベルの周方向端縁やパーティングライン部分周辺での容器の破損の発生を抑制することができる。
【図面の簡単な説明】
【００１７】
【図１】従来のインモールドラベル付きブロー成形容器をブロー成形する際の、割型へのラベルの配置要領を示す横断面図である。
【図２】本発明の一実施形態に係るインモールドラベル付きブロー成形容器をブロー成形する際の、割型へのラベルの配置要領の一例を示す横断面図である。
【図３】図２のラベルの配置要領の他の例を示す横断面図である。
【図４】本発明の一実施形態に係るインモールドラベル付きブロー成形容器の、ラベルのパーティングラインを越える部分における貼着要領を示す要部側面図であり、（ａ）は前記部分に切り欠きを設けた場合の例、（ｂ）は前記部分に１つの開口を設けた場合の例、（ｃ）は前記部分に複数の開口を設けた場合の例を示す。
【図５】本発明の一実施形態に係るインモールドラベル付きブロー成形容器をブロー成形する際に用いる割型に凸状部を設けた場合の、ラベルの配置要領を示す横断面図である。
【発明を実施するための形態】
【００１８】
以下、図２〜図５を参照して、本発明の一実施形態に係るインモールドラベル付きブロー成形容器について詳細に例示説明する。
本実施形態のインモールドラベル付きブロー成形容器（図示省略）は、筒状の胴部を有し、２つの割型１０ａ，１０ｂ（図２参照）を用いてブロー成形により形成される容器本体と、ブロー成形に際し、２つの割型１０ａ，１０ｂの内周面にそれぞれ配置され、容器本体の胴部に貼着される２枚のインモールドラベル２０ａ，２０ｂとを備えている。ここに、容器本体は、押出し成形によって押出されたパリソンを２つの割型１０ａ，１０ｂで挟み、当該パリソン内に空気を吹き込むブロー成形によって形成することが好ましい。
【００１９】
そして、２枚のインモールドラベル２０ａ，２０ｂのうち少なくとも一方は、パーティングラインＰＬを越えて貼着されており、該パーティングラインＰＬを越える部分２１において、もう一方のインモールドラベル２０ａ，２０ｂと重なり合っている。
【００２０】
なお、パーティングラインＰＬを越える部分２１と重なる部分２２を、パーティングラインＰＬを越える部分２１に貼着して、容器本体の胴部に沿った状態に保つためには、例えば、ブロー成形の前にこれら部分２２，２１の間に接着剤を塗布しておく前工程を設け、あるいは、そのような接着剤の塗布をブロー成形後に行う後工程を設ければよい。
【００２１】
また、インモールドラベル２０ａ，２０ｂのうち少なくとも一方の、パーティングラインＰＬを越える部分２１は、もう一方のインモールドラベル２０ａ，２０ｂの内周側に位置していることが好ましい。
【００２２】
本実施形態のインモールドラベル付きブロー成形容器をブロー成形する際には、図２に示したように、一方のインモールドラベル２０ａを、周方向の両端に、パーティングラインＰＬを越える部分２１が形成されるように配置し、もう一方のインモールドラベル２０ｂを、周方向の両端がパーティングラインＰＬ付近に位置するように配置することができる。
【００２３】
また、図２に示した配置要領に代えて、図３に示すように、一方のインモールドラベル２０ａを、周方向の一端に、パーティングラインＰＬを越える部分２１が形成され、周方向の他端がパーティングラインＰＬ付近に位置するように配置し、もう一方のインモールドラベル２０ｂも、周方向の一端に、パーティングラインＰＬを越える部分２１が形成され、周方向の他端がパーティングラインＰＬ付近に位置するように配置することもできる。但し、この場合、２つの、パーティングラインＰＬを越える部分２１は、割型１０ａ，１０ｂの軸線Ｏを挟んで対向するように配置することが肝要である。
【００２４】
また、本実施形態のインモールドラベル付きブロー成形容器は、図４（ａ）に示すように、インモールドラベル２０ａ，２０ｂのうち少なくとも一方の、パーティングラインＰＬを越える部分２１には、切り欠き２３が形成されており、該切り欠き２３を介して、もう一方のインモールドラベル２０ａ，２０ｂが容器本体の胴部に貼着されていることが好ましい。
【００２５】
また、図４（ａ）に示した例に代えて、図４（ｂ）に示すように、インモールドラベル２０ａ，２０ｂのうち少なくとも一方の、パーティングラインＰＬを越える部分２１には、１つの開口２４が形成されており、該開口２４を介して、もう一方のインモールドラベル２０ａ，２０ｂが容器本体の胴部に貼着されていることが好ましい。
【００２６】
さらに、図４（ａ）及び図４（ｂ）に示した例に代えて、図４（ｃ）に示すように、インモールドラベル２０ａ，２０ｂのうち少なくとも一方の、パーティングラインＰＬを越える部分２１には、複数の開口２５が形成されており、該開口２５を介して、もう一方のインモールドラベル２０ａ，２０ｂが容器本体の胴部に貼着されていることが好ましい。
【００２７】
このように、図４に示したような切り欠き２３又は開口２４，２５を設ける場合には、前述したような、接着剤を塗布する工程を設けなくても、パーティングラインＰＬを越える部分２１と重なる部分２２を、切り欠き２３又は開口２４，２５を介して容器本体の胴部に貼着して、容器本体の胴部に沿った状態に保つことができるため、製造工程を簡素化することができる。
【００２８】
また、図４に示したような貼着要領に代えて、以下のような貼着要領を採用することもできる。すなわち、インモールドラベル２０ａ，２０ｂのうち少なくとも一方の、パーティングラインＰＬを越える部分の外周面と、もう一方のインモールドラベル２０ａ，２０ｂの内周面とを、ブロー成形時のパリソンの熱によって互いに溶着させることができる。
【００２９】
このような貼着要領とした場合にも、前述したような、接着剤を塗布する工程を設けなくても、パーティングラインＰＬを越える部分２１と重なる部分２２を、パーティングラインＰＬを越える部分２１に貼着して、容器本体の胴部に沿った状態に保つことができるため、製造工程を簡素化することができる。
【００３０】
ここに、インモールドラベル２０ａ，２０ｂのうち少なくとも一方の、パーティングラインＰＬを越える部分２１の外周面と、該外周面と溶着される、もう一方のインモールドラベル２０ａ，２０ｂの内周面との双方を、ＬＤＰＥ層（すなわち、低密度ポリエチレン樹脂層）によって構成することが好ましく、このような構成とすることで、ブロー成形時のパリソンの熱によってＬＤＰＥ層同士を安定して溶着させることができる。
【００３１】
また、より好ましい構成としては、例えば図２に示したように、２枚のインモールドラベル２０ａ，２０ｂの一方のみを、パーティングラインＰＬを越えて貼着させ、該パーティングラインＰＬを越えて貼着されているインモールドラベル２０ａ，２０ｂは、ＬＤＰＥ層、ＡＣ層（すなわち、アンカーコート層）、印刷層、及びＣＰＰ層（すなわち、ポリプロピレン樹脂製の無延伸のキャストフィルムからなる透明な基材層）を、外周側から内周側に向って、ＬＤＰＥ層、ＡＣ層、印刷層、ＣＰＰ層の順に積層して形成し、もう一方のインモールドラベル２０ａ，２０ｂは、前記層を、外周側から内周側に向って、ＣＰＰ層、印刷層、ＡＣ層、ＬＤＰＥ層の順に積層して形成することができる。このような構成とすることで、ラベル２０ａ，２０ｂの構成を簡素化すると共に、ブロー成形時のパリソンの熱による溶着を安定して得ることができる。
【００３２】
さらに、図２及び図３に示したような、本実施形態に係るインモールドラベル付きブロー成形容器をブロー成形する際に用いる割型１０ａ，１０ｂには、該割型１０ａ，１０ｂの内周面のパーティングラインＰＬに沿う端縁に、インモールドラベル２０ａ，２０ｂのうち少なくとも一方の、パーティングラインＰＬを越える部分２１を、もう一方のインモールドラベル２０ａ，２０ｂの内周側に誘導する凸状部１１を設けることが好ましい。
【００３３】
このような構成とすることで、インモールドラベル２０ａ，２０ｂのうち少なくとも一方の、パーティングラインＰＬを越える部分２１が、型締めの際に割型１０ａ，１０ｂの間に挟まることを安定して防止することができる。
【００３４】
ここに、凸状部１１の高さｈは、０．１〜１．０ｍｍであることが好ましい。高さｈが０．１ｍｍより小さいと、パーティングラインＰＬを越える部分２１を、もう一方のインモールドラベル２０ａ，２０ｂの内周側に安定して誘導することができず、高さｈが１．０ｍｍよりも大きいと、凸状部１１によって容器本体の胴部に形成される凹部が深くなりすぎて、凹部が目立つ上に、型開き時に傷が入り、容器の外観が損なわれるためである。
【００３５】
かかる構成によれば、２枚のインモールドラベル２０ａ，２０ｂのうち少なくとも一方の、パーティングラインＰＬを越える部分２１が、もう一方のインモールドラベル２０ａ，２０ｂと重なり合った状態で貼着されているため、インモールドラベル２０ａ，２０ｂの貼着位置がずれても外観を著しく損なうことがなく、容器が薄肉の場合におけるパーティングラインＰＬ部分周辺でのヒケの発生を抑制することができ、容器を落下させた場合におけるラベル２０ａ，２０ｂの周方向端縁やパーティングラインＰＬ部分周辺での容器の破損の発生を抑制することができる。
【００３６】
上述したところは、本発明の一実施形態を示したにすぎず、特許請求の範囲において、種々の変更を加えることができる。例えば、インモールドラベル２０ａ，２０ｂは、装飾模様や商品名、説明文などの表示を印刷したものに必ずしも限られない。また、インモールドラベル２０ａ，２０ｂとして、遮光性や、酸素バリア性を付与したものを用いることもできる。
【符号の説明】
【００３７】
１ａ，１ｂ  割型
２ａ，２ｂ  インモールドラベル
１０ａ，１０ｂ  割型
１１  凸状部
２０ａ，２０ｂ  インモールドラベル
２１  パーティングラインを越える部分
２２  パーティングラインを越える部分と重なる部分
２３  切り欠き
２４  １つの開口
２５  複数の開口
Ｏ  割型の軸線
ＰＬ  パーティングライン
ｈ  凸状部の高さ
【図１】
2015066783.tif 000003
【図２】
2015066783.tif 000004
【図３】
2015066783.tif 000005
【図４】
2015066783.tif 000006
【図５】
2015066783.tif 000007